(57)【要約】【課題】照明装置において、光量センサの温度特性による検知出力変化を補償することにより、周囲温度変化に拘らず出射光の色を高精度に制御し、且つ、温度センサを不要とすることにより、コストの低減を図る。【解決手段】照明装置１は、光量センサ部５、記憶部６、温度推定部７１及び補正部７２を備える。記憶部６は周囲温度推定用の第１テーブルと、周囲温度と光量センサ部５の温度特性による検知出力の変化分に略等しい補正値との関係を示す第２テーブルを記憶している。温度推定部７１は第１テーブルを参照して周囲温度を推定するので、温度センサが不要となり、コスト低減を図れる。また、補正部７２は、第２テーブルを参照し、推定された周囲温度に対応する補正値を用いて検知出力を補正するので、光量センサ部５の温度特性による検知出力変化を補償することができる。従って、周囲温度の変化に拘らず出射光の色温度を高精度に制御することができる。【選択図】図１
2008186627.tif 000002
【特許請求の範囲】
【請求項１】
発光ダイオードと、前記発光ダイオードからの光を検知してその光量を測定する光量センサと、前記光量センサの検知出力に基づいて前記発光ダイオードの発光量をフィードバック制御する制御部と、を備えた照明装置において、
前記発光ダイオードを基準発光量で発光するように制御したときの前記光量センサの検知出力が、所定の周囲温度における該検知出力を基準値として、該基準値から周囲温度に応じて変化した変化分と周囲温度との関係を示す第１のテーブルと、周囲温度と前記変化した検知出力を補正する補正値との関係を示す第２のテーブルと、を記憶する記憶部を備え、
前記補正値は、前記光量センサの温度特性による検知出力の変化分と略等しい値であり、
前記制御部は、前記発光ダイオードを基準発光量で発光するように制御したときの前記光量センサの検知出力と前記基準値との間の変化分を算出し、前記算出された変化分を基に前記第１のテーブルを参照して周囲温度を推定すると共に、前記推定された周囲温度に対応する前記補正値を前記第２のテーブルを参照して取得し、さらに、所望の光量の光を得るため、前記取得した補正値を用いて該検知出力を補正しつつ、前記補正された検知出力に基づいて該発光ダイオードの発光量をフィードバック制御することを特徴とする照明装置。
【請求項２】
前記制御部は、前記発光ダイオードの動作安定後における前記光量センサの検知出力と前記基準値との間の変化分を算出することを特徴とする請求項１に記載の照明装置。
【請求項３】
前記発光ダイオードには、赤色発光ダイオード、緑色発光ダイオード及び青色発光ダイオードが含まれることを特徴とする請求項１又は請求項２に記載の照明装置。
【発明の詳細な説明】
【技術分野】
【０００１】
本発明は、発光ダイオードの発光量が光量センサの検知出力に基づいてフィードバック制御されると共に、温度補償機能を有する照明装置に関する。
【背景技術】
【０００２】
従来より、建物の壁面を演出したり、公園等を照らしたりする照明装置として、光源が発光ダイオード（以下、ＬＥＤという）で構成されたものが知られている。この照明装置は、例えば赤色ＬＥＤ、緑色ＬＥＤ及び青色ＬＥＤを有しており、これらのＬＥＤの発光量を調整することにより、白色等の合成光を出射する。例えば、白色の合成光を得るためには、上記各色のＬＥＤは、等しい光量で発光する必要がある。しかしながら、ＬＥＤの温度特性による誤差等のため、各色のＬＥＤの発光量にばらつきが生じることがある。この場合、合成光である白色光の色度が変化し、所望の色度と実際の色度との間に差が生じる。
【０００３】
そこで、所望の色度の光を高精度に得るように構成された照明装置として、ピーク波長が異なる複数種類の同色系の第１赤色ＬＥＤ及び第２赤色ＬＥＤと、スペクトルセンサとを備えた発光装置が知られている（例えば、特許文献１参照）。この発光装置は、環境温度が変化した場合においても、環境温度の変化に伴って変化する各ＬＥＤのピーク波長をスペクトルセンサにより計測し、各ＬＥＤのピーク波長に基づいて各ＬＥＤの発光比率を調整することによって、各ＬＥＤのスペクトルを合成した合成スペクトルのピーク波長を目標値に近づける。
【０００４】
また、上記の照明装置として、ＬＥＤに電流を供給して駆動する駆動制御手段と、ＬＥＤの合成光に含まれる各色の光量を測定する光量センサと、を備え、上記の駆動制御手段は、合成光が所定の色度となるように、光量センサの検知出力に基づいて各色のＬＥＤの電流量をフィードバック制御するバックライト装置が知られている（例えば、特許文献２参照）。このバックライト装置は、ＬＥＤの温度を検出する温度センサと、各色のＬＥＤの初期電流量とその初期電流量の温度に応じた補正量とが格納された記憶手段とをさらに備える。駆動制御手段は、電源投入時に、温度センサの検出値に基づき補正量を算出し、算出した補正量を各色のＬＥＤの初期電流量に加算し、補正した初期電流量で各色のＬＥＤを起動する。この装置によれば、電源投入時の温度に拘らず、電源投入直後から所定の色度に収束するまでに要する時間が短くなる。
【０００５】
しかしながら、上記の発光装置及びバックライト装置においては、スペクトルセンサ及び光量センサ（以下、光量センサ等という）の温度特性による検知出力変化に対して対策が講じられていない。従って、ＬＥＤのフィードバック制御は光量センサ等の検知出力に応じてなされるので、周囲温度変化に伴って光量センサ等の検知出力が変化した場合、誤差が生じ、ＬＥＤの合成光すなわち装置の出射光の色を高精度に制御することが難しかった。また、上記のバックライト装置のように、合成光の色を高精度に制御するため、温度センサの温度情報に基づいて光量センサの検知出力を補正したとしても、温度センサが必要であるため、コストの低減が困難であった。
【特許文献１】特開２００６−２５３５０２号公報
【特許文献２】特開２００６−１７１６９３号公報
【発明の開示】
【発明が解決しようとする課題】
【０００６】
本発明は、上記の従来の問題を解決するためになされたものであり、光量センサの温度特性による検知出力変化を補償することにより、周囲温度変化に拘らず出射光の色を高精度に制御することができ、且つ、温度センサを不要とすることにより、コストの低減を図ることができる照明装置を提供することを目的とする。
【課題を解決するための手段】
【０００７】
上記目的を達成するために請求項１の発明は、発光ダイオードと、前記発光ダイオードからの光を検知してその光量を測定する光量センサと、前記光量センサの検知出力に基づいて前記発光ダイオードの発光量をフィードバック制御する制御部と、を備えた照明装置において、前記発光ダイオードを基準発光量で発光するように制御したときの前記光量センサの検知出力が、所定の周囲温度における該検知出力を基準値として、該基準値から周囲温度に応じて変化した変化分と周囲温度との関係を示す第１のテーブルと、周囲温度と前記変化した検知出力を補正する補正値との関係を示す第２のテーブルと、を記憶する記憶部を備え、前記補正値は、前記光量センサの温度特性による検知出力の変化分と略等しい値であり、前記制御部は、前記発光ダイオードを基準発光量で発光するように制御したときの前記光量センサの検知出力と前記基準値との間の変化分を算出し、前記算出された変化分を基に前記第１のテーブルを参照して周囲温度を推定すると共に、前記推定された周囲温度に対応する前記補正値を前記第２のテーブルを参照して取得し、さらに、所望の光量の光を得るため、前記取得した補正値を用いて該検知出力を補正しつつ、前記補正された検知出力に基づいて該発光ダイオードの発光量をフィードバック制御するものである。
【０００８】
請求項２の発明は、請求項１に記載の照明装置において、前記制御部は、前記発光ダイオードの動作安定後における前記光量センサの検知出力と前記基準値との間の変化分を算出するものである。
【０００９】
請求項３の発明は、請求項１又は請求項２に記載の照明装置において、前記発光ダイオードには、赤色発光ダイオード、緑色発光ダイオード及び青色発光ダイオードが含まれるものである。
【発明の効果】
【００１０】
請求項１の発明によれば、制御部は、第１のテーブルを参照して周囲温度を推定するので、温度補償用の温度センサが不要となる。このため、コストの低減を図ることができる。また、記憶部は、周囲温度と光量センサの温度特性による検知出力の変化分に略等しい補正値との関係を示す第２のテーブルを記憶しており、制御部は、推定された周囲温度に対応するこの補正値を用いて検知出力を補正するので、光量センサの温度特性による検知出力変化を補償することができる。このため、周囲温度変化に拘らず、装置の出射光の色を高精度に制御することができる。
【００１１】
請求項２の発明によれば、実際の検知出力と基準値との間の変化分を正確に算出することができる。従って、この変化分に基づき、制御部により周囲温度を高精度に推定することができる。このため、高精度に推定された周囲温度に応じて検知出力を補正することができる。その結果、その補正される検知出力を用いた、発光ダイオードの発光量に対する高精度なフィードバック制御が可能になる。
【００１２】
請求項３の発明によれば、赤色発光ダイオード、緑色発光ダイオード及び青色発光ダイオードごとに発光量を制御することにより、全色の光を出射することができる。
【発明を実施するための最良の形態】
【００１３】
以下、本発明の一実施形態に係る照明装置について図面を参照して説明する。図１及び図２は、本実施形態に係る照明装置の電気的構成と、この照明装置の記憶部が記憶する情報とを示す。この照明装置１は、発光ダイオード（以下、ＬＥＤという）２を有する発光部３と、ＬＥＤ２を点灯させる電気回路で構成される点灯回路部４と、ＬＥＤ２からの光を検知してその光量を測定する光量センサ部５と、ＬＥＤ２及び光量センサ部５の温度特性を記憶する記憶部６と、を備える。
【００１４】
さらに、照明装置１は、記憶部６のデータを参照し、光量センサ部５の温度を推定すると共に、点灯回路部４に調光信号を送出することによりＬＥＤ２の発光量を制御する制御部７と、上記各部に電力を供給する電源部８と、を備える。制御部７は、光量センサ部５の検知出力に基づいてＬＥＤ２の発光量をフィードバック制御する。電源部８は、電池で構成されていても、或いは商用電源からの電力を照明装置１の各部へ供給するように構成されていても構わない。本実施形態のおいては、光色を定量的に表現するため、例えば色温度が用いられる。以下、照明装置１の各部について詳細に説明する。
【００１５】
ＬＥＤ２は、赤色ＬＥＤ２ｒ、緑色ＬＥＤ２ｇ及び青色ＬＥＤ２ｂで構成されている。ＬＥＤ２の発光量は、制御部７によりＰＷＭ制御される。発光部３においては、赤色ＬＥＤ２ｒ、緑色ＬＥＤ２ｇ及び青色ＬＥＤ２ｂがひと纏まりに配置され、この纏まりが１次元、２次元又は３次元に複数並んでいる。各色のＬＥＤ２ｒ、２ｇ、２ｂから出射される光の合成光が発光部３の出射光となる。この出射光は、赤色ＬＥＤ２ｒ、緑色ＬＥＤ２ｇ及び青色ＬＥＤ２ｂの発光量をそれぞれ制御することにより、全色に設定できる。例えば、赤色ＬＥＤ２ｒ、緑色ＬＥＤ２ｇ及び青色ＬＥＤ２ｂの発光量を略等しくした場合、発光部３の出射光は白色光となる。赤色ＬＥＤ２ｒ、緑色ＬＥＤ２ｇ及び青色ＬＥＤ２ｂの個数及び配置は、図１に図示される形態に限定されない。
【００１６】
光量センサ部５は、発光部３の出射光に含まれる赤色光、緑色光及び青色光のそれぞれの光量を測定可能に構成されている。例えば、光量センサ部５は、上記の各色光の光量を測定するため、赤色光を透過する赤色フィルタ５１ｒと、緑色光を透過する緑色フィルタ５１ｇと、青色光を透過する青色フィルタ５１ｂとを有する。この赤色フィルタ５１ｒは発光部３の出射光から赤色成分を分光し、同様に、緑色フィルタ５１ｇ及び青色フィルタ５１ｂは合成光から緑色成分及び青色成分を分光する。各色のフィルタ５１ｒ、５１ｇ、５１ｂの背後には、それぞれに対応して光量センサ５２ｒ、５２ｇ、５２ｂが複数個配設されている。これらの光量センサ５２ｒ、５２ｇ、５２ｂは、分光された各色光の光量を測定する。光量センサ部５は、測定された各色光の光量に基づいて発光部３の出射光の色温度を算出し、この色温度情報を検知出力として制御部７に送出する。
【００１７】
記憶部６は、ＲＯＭ又はＲＡＭ等のメモリで構成され、このメモリにより、発光部３の出射光の色温度とその色温度の光を生成するのに必要な赤色光、緑色光及び青色光の光量との対応関係を示す色温度テーブルを記憶している。この色温度テーブルに設定された色温度の中には、基準色温度が含まれており、この基準色温度は、周囲温度に応じて色温度が変化したときにその変化分を求める上で基準となる色温度である。ここで、基準色温度の合成光を出射するため各色のＬＥＤ２に設定された光量を、ＬＥＤ２の基準発光量という。記憶部６は、この基準発光量と、所定の周囲温度で、ＬＥＤ２を基準発光量で発光するように調光制御したときすなわち基準発光量を目標値としてＬＥＤ２の発光量を制御したときの光量センサ部５の検知出力と、を記憶している。以下、この検知出力を基準検知出力（基準値）という。基準検知出力は、周囲温度に応じて検知出力が変化したときにその変化分を求める上で基準となる。
【００１８】
さらに、記憶部６は、上記のメモリにより２個のテーブルを記憶している。これらのテーブルのうち、１個は、ＬＥＤ２を基準発光量で発光するように調光制御したときの光量センサ部５の検知出力が、基準検知出力から周囲温度に応じて変化した変化分と周囲温度との関係を示す第１テーブル６１（第１のテーブル）である。検知出力のこの変化分は、ＬＥＤ２が基準発光量で発光するように調光制御された場合において、ＬＥＤ２の温度特性により周囲温度の影響でその発光量が変化したときにその発光量変化に応じて変化する光量センサ部５の検知出力の変化分と、光量センサ部５の温度特性により周囲温度の影響で変化する検知出力の変化分との合計値である。すなわち、検知出力の変化分は、ＬＥＤ２が基準発光量で発光するように調光制御された場合における実際の検知出力と、基準検知出力との差分を示している。上記の合計値は、実験又は計算等により予め導出されている。図２にはこの第１テーブル６１の一例が示されており、検知出力の変化分Ｅ１に対応して周囲温度Ｔ１が、また変化分Ｅ２に対応して周囲温度Ｔ２が設定されている。
【００１９】
上記の２個のテーブルのうち、もう１個は、周囲温度と基準検知出力から変化した検知出力を補正する補正値との関係を示す第２テーブル６２（第２のテーブル）である。この補正値は、ＬＥＤ２が基準発光量で発光するように調光制御され、且つ、実際の周囲温度が補正値と対応する周囲温度であるときに、光量センサ部５単体の温度特性により変化する検知出力の変化分と略等しい。すなわち、この変化分は基準検知出力との差分を示している。光量センサ部５の温度特性は、略線形であるため、テーブル化し易い。また、上記の補正値は、実験又は計算等により予め導出されている。図２にはこの第２テーブル６２の一例が示されており、周囲温度Ｔ１に対応して補正値Ｃ１が、また周囲温度Ｔ２に対応して補正値Ｃ２が設定されている。第１及び第２テーブル６１、６２における周囲温度は、温度帯であることが好ましい。
【００２０】
制御部７は、ＣＰＵを搭載したマイクロコンピュータで構成される。この制御部７は、周囲温度を推定する温度推定部７１と、温度推定部７１から送出された推定周囲温度情報に基づいて光量センサ部５の検知出力を補正する補正部７２と、補正された検知出力に基づいて調光信号を生成し、この調光信号を点灯回路部４に送出する点灯制御部７３とで構成される。
【００２１】
温度推定部７１は、記憶部６から光量センサ部５の基準検知出力を読み出し、この基準検知出力と光量センサ部５の実際の検知出力すなわち測定値とを比較し、検知出力の変化分を算出する。さらに、温度推定部７１は、算出された変化分に対応する周囲温度を、記憶部６の第１テーブル６１を参照して読み出す。この読み出された周囲温度が、温度推定部７１により、実際の周囲温度に推定される。この温度推定部７１は、推定周囲温度情報及び光量センサ部５の検知出力を補正部７２に送出する。
【００２２】
補正部７２は、温度推定部７１からの推定周囲温度情報に基づいて、推定された周囲温度に対応する補正値を、記憶部６の第２テーブル６２を参照して読み出し、それを取得する。この補正値は色温度で表されている。さらに、補正部７２は、補正値を用いて光量センサ部５の検知出力を補正する。この補正においては、例えば、検知出力に補正値が加算又は減算等される。このような構成により、光量センサ部５の温度補償機能が制御部７に担保される。補正された光量センサ部５の検知出力は、補正部７２から点灯制御部７３に出力される。
【００２３】
点灯制御部７３は、基準色温度の光又は所望の色温度の光を発光部３から出射させるため、調光信号を点灯回路部４に送出する。所望の色温度の光を発光部３から出射させる場合、この色温度は、ユーザによる操作部（不図示）の操作に基づいて設定される。操作部は、この操作に基づく操作信号を点灯制御部７３に送出する。点灯制御部７３は、この操作信号に応じて、記憶部６に格納された上記の色温度テーブルを参照し、調光信号を生成する。なお、点灯制御部７３における基準色温度の光を発光部３から出射させる場合の動作については後述する。
【００２４】
調光信号には、所望の色温度の光を出射するために必要な赤色ＬＥＤ２ｒ、緑色ＬＥＤ２ｇ及び青色ＬＥＤ２ｂの発光量を示す情報が重畳されている。しかしながら、ＬＥＤ２の温度特性による発光量変化やＬＥＤ２個体ごとの精度のばらつき等の原因により、発光部３の出射光の色温度は所望の色温度と異なることがある。この対策として、点灯制御部７３は、光量センサ部５の検知出力に基づいて、ＬＥＤ２の発光量のフィードバック制御を行なう。この検知出力は、上記のように、温度推定部７１及び補正部７２を介して点灯制御部７３に伝達されており、温度推定部７１及び補正部７２によりＬＥＤ２及び光量センサ部５の温度特性に応じて補正される。補正される検知出力に基づき、赤色ＬＥＤ２ｒ、緑色ＬＥＤ２ｇ及び青色ＬＥＤ２ｂの発光量がそれぞれに調整される。このようにして、ＬＥＤ２のフィードバック制御機能が制御部７に担保される。
【００２５】
図３は、図２のＡ点における調光信号の波形を示す。この調光信号は、例えば、パルス列から成る電流信号である。点灯制御部７３は、この信号のデューティ比の制御すなわちＰＷＭ制御により、ＬＥＤ２の発光量を制御する。調光信号は、赤色ＬＥＤ２ｒ、緑色ＬＥＤ２ｇ及び青色ＬＥＤ２ｂのそれぞれに対応して生成される。これらの調光信号は、幅がそれぞれ設定されており、例えば、赤色ＬＥＤ２ｒに対する調光信号のパルス幅はＷｒである。同様に、緑色ＬＥＤ２ｇ、青色ＬＥＤ２ｂのそれぞれに対する調光信号のパルス幅はＷｇ、Ｗｂである。調光信号のデューティ比を調整することにより、これらのパルス幅Ｗｒ、Ｗｇ、Ｗｂが変化する。従って、赤色ＬＥＤ２ｒ、緑色ＬＥＤ２ｇ及び青色ＬＥＤ２ｂの発光時間が調整される。その結果、赤色ＬＥＤ２ｒ、緑色ＬＥＤ２ｇ及び青色ＬＥＤ２ｂの光量が増減される。これらのＬＥＤ２の発光量制御は、調光信号の電流値すなわち波高値に基づいてなされても構わない。
【００２６】
図４（ａ）（ｂ）は、調光信号のデューティ比と発光部３の出射光すなわち合成光の色温度との間の関係を示す。同図（ａ）に図示される関係は、緑色ＬＥＤ２ｇに対する調光信号と青色ＬＥＤ２ｂに対する調光信号が有するものである。これらの調光信号においては、合成光の色温度の上昇に伴ってデューティ比が高くなる。例えば、デューティ比は色温度の上昇に比例して高まる。同図（ｂ）に図示される関係は、赤色ＬＥＤ２ｒに対する調光信号が有するものである。この調光信号においては、合成光の色温度の上昇に伴ってデューティ比が低くなる。例えば、デューティ比は色温度の上昇に比例して低まる。
【００２７】
記憶部６は、合成光の色温度と調光信号のデューティ比との間の上記関係をテーブル化して記憶している。このテーブルにおいては、合成光の色温度に対応して、赤色ＬＥＤ２ｒ、緑色ＬＥＤ２ｇ及び青色ＬＥＤ２ｂのぞれぞれに対する調光信号のデューティ比が設定されている。調光信号のデューティ比の変化はＬＥＤ２の発光量の増減に繋がるので、このテーブルが、合成光の色温度とＬＥＤ２の発光量との対応関係を示す上記の色温度テーブルに該当する。
【００２８】
図５及び図６は、照明装置１における出射光の色温度調整動作及び色温度の時間的変化を示す。色温度調整動作において、まず、照明装置１の電源が投入される（Ｓ１）。次に、点灯制御部７３が、記憶部６の色温度テーブルを参照し、基準色温度に対応するＬＥＤ２の基準発光量の情報を読み出す。ここで、基準色温度を理論値Ｔｔとする。さらに、点灯制御部７３は、読み出した基準発光量で発光するように、ＬＥＤ２すなわち赤色ＬＥＤ２ｒ、緑色ＬＥＤ２ｇ及び青色ＬＥＤ２ｂのそれぞれを調光制御するため、調光信号を点灯回路部４に送出する（Ｓ２）。点灯制御部７３による調光信号送出と同時に、制御部７内の不図示のタイマがタイムカウントを開始する（Ｓ３）。タイムカウント開始時刻は、図６において時間ｔ＝０のときである。点灯回路部４は、点灯制御部７３からの調光信号に基づいて、ＬＥＤ２を発光させる（Ｓ４）。
【００２９】
ＬＥＤ２に調光信号が送出されてから所定の時間が経過したとき（Ｓ５）、ＬＥＤ２の温度飽和によりその発光量は徐々増加し、その後、一定となる。このようにＬＥＤ２の動作が安定することにより、発光部３の出射光の色温度は一定となる。色温度が一定となるこの時刻は、図６において時間ｔ＝ｔ１のときである。ここで、時間ｔ１を待機時間という。この待機時間ｔ１は予め設定されている。タイマは、タイムカウント開始から待機時間ｔ１が経過したとき、タイムカウントを終了する。
【００３０】
光量センサ部５は、タイマによる待機時間ｔ１のカウント後、すなわちＬＥＤ２の動作安定後に、一定となったＬＥＤ２の発光量を測定する（Ｓ６）。測定後、光量センサ部５は、ＬＥＤ２の光量情報を温度推定部７１に送出する。温度推定部７１は、この光量情報を基に、発光部３の出射光の色温度を算出する。算出されるこの色温度が、光量センサ部５の実際の検知出力すなわち測定値である。ここで、色温度の測定値をＴｍとする。
【００３１】
色温度の測定後、温度推定部７１は、色温度の測定値Ｔｍと理論値Ｔｔとを比べ、色温度の変化分すなわち測定値Ｔｍと理論値Ｔｔとの差分を算出する（Ｓ７）。ここで、上記の差分をＴｄとする。
【００３２】
温度推定部７１は、記憶部６の第１テーブル６１を参照し（Ｓ８）、算出された差分Ｔｄに対応する周囲温度を読み出し、その周囲温度を実際の周囲温度に推定する（Ｓ９）。この推定周囲温度情報が、温度推定部７１から補正部７２に送出される。補正部７２は、記憶部６の第２テーブル６２を参照し（Ｓ１０）、温度推定部７１からの推定周囲温度情報に基づいて、推定された周囲温度に対応する補正値を読み出して取得する（Ｓ１１）。
【００３３】
補正値取得後、ユーザ所望の色温度の光を発光部３から出射させるため、補正部７２が、上記の補正値を用いて光量センサ部５の検知出力を補正しつつ、点灯制御部７３は、補正される検知出力に基づいて、ＬＥＤ２の発光量のフィードバック制御を開始する（Ｓ１２）。フィードバック制御の開始時刻は、図６において時間ｔ＝ｔ２のときである。このフィードバック制御においては、発光部３の出射光の色温度が、ユーザにより設定された所望の値すなわち設定値Ｔｓとなるように、点灯制御部７３により各色のＬＥＤ２の発光量が調整される。この調整により、例えば、図６に図示されるように時間ｔ＝ｔ３が経過したとき、発光部３の出射光の色温度は設定値Ｔｓとなる。
【００３４】
上記のように、温度推定部７１は、光量センサ部５の検知出力の変化分を測定し、その変化分を基に、第１テーブル６１を参照して周囲温度を推定するので、温度補償用の温度センサが不要となる。このため、コストの低減を図ることができる。また、記憶部６は、周囲温度と光量センサ部５の温度特性による検知出力の変化分に略等しい補正値との関係を示す第２テーブル６２を記憶しており、補正部７２は、推定された周囲温度に対応する補正値を第２テーブル６２を参照して取得し、取得したその補正値を用いて検知出力を補正するので、光量センサ部５の温度特性による検知出力変化を補償することができる。また、所望の色温度の光を得るため、点灯制御部７３は、補正部７２により補正される検知出力に基づいて、ＬＥＤ２の発光量をフィードバック制御する。従って、ＬＥＤ２の温度特性による発光量変化を補償することができる。このため、周囲温度の変化に拘らず、照明装置１の出射光の色温度を高精度に制御することができる。
【００３５】
また、温度推定部７１は、ＬＥＤ２の動作安定後における光量センサ部５の検知出力すなわち測定値Ｔｍと理論値Ｔｔとの間の変化分を算出するので、実際のその変化分を正確に算出することができる。従って、この変化分に基づき、温度推定部７１により周囲温度を高精度に推定することができる。このため、高精度に推定された周囲温度に応じて検知出力を補正することができる。その結果、補正される検知出力を用いた、ＬＥＤ２の発光量に対する高精度なフィードバック制御が可能になる。さらに、検知出力の補正において、検知出力を補正するためのフィードバック動作は不要であり、補正値を読み出して、その補正値に応じて検知出力を補正するだけでよいので、迅速な補正が可能になる。
【００３６】
本発明は、上記の実施形態の構成に限定されるものでなく、使用目的に応じ、様々な変形が可能である。例えば、光量センサ部５の検知出力は、色温度に限定されず、色度であってもよい。光量センサ部５は、上記の構成に限定されず、プリズムと、このプリズムによって分光される赤色光、青色光及び緑色光のそれぞれの光量を測定する複数個の光量センサとで構成されていても構わない。また、記憶部６は、制御部７のマイクロコンピュータ内に設けられたメモリで構成されていてもよい。また、上記のタイマは、光量センサ部５内に設けられていても構わない。また、発光部３の出射光の色温度は、ユーザによって所望の値に設定されるのではなく、デフォルトで所定の値に設定されていてもよい。また、点灯制御部７３は、発光部３の出射光すなわちＬＥＤ２の合成光の色温度ではなく、ＬＥＤ２の各色光の光量に基づいてフィードバック制御を行なっても構わない。
【図面の簡単な説明】
【００３７】
【図１】本発明の一実施形態に係る照明装置の電気的構成図。
【図２】上記装置の記憶部に記憶されるテーブルを示す図。
【図３】上記装置における調光信号波形を示す図。
【図４】（ａ）は上記装置の緑色ＬＥＤ及び青色ＬＥＤに対する調光信号のデューティ比と同装置の出射光の色温度との関係を示す図、（ｂ）は同装置の赤色ＬＥＤに対する調光信号のデューティ比と同出射光の色温度との関係を示す図。
【図５】上記装置における出射光の色温度調整動作を示すフローチャート。
【図６】上記出射光の色温度の時間的変化を示す図。
【符号の説明】
【００３８】
１  照明装置
２  ＬＥＤ（発光ダイオード）
２ｂ  青色発光ダイオード
２ｇ  緑色発光ダイオード
２ｒ  赤色発光ダイオード
３  発光部
４  点灯回路部
５  光量センサ部
５２ｂ、５２ｇ、５２ｒ  光量センサ
６  記憶部
６１  第１テーブル（第１のテーブル）
６２  第２テーブル（第２のテーブル）
７  制御部
７１  温度推定部
７２  補正部
７３  点灯制御部
８  電源部
【図１】
2008186627.tif 000003
【図２】
2008186627.tif 000004
【図３】
2008186627.tif 000005
【図４】
2008186627.tif 000006
【図５】
2008186627.tif 000007
【図６】
2008186627.tif 000008